(57)【要約】【課題】  温水マットの暖房エリアをゾーン分けして使い勝手の向上と省エネ化を図る。【解決手段】  熱源機１と温水マット６間を２本の往きパイプ１２、１３と１本の還りパイプ１４で結び、温水マット６はゾーン７，８に分けて温水パイプ１０を配管し、温水ヘッダー９からそれぞれに温水を供給する。  熱源機１側の自動制御弁３ａ、４ａをコントローラー２４により操作して、往きパイプ１２、１３を流れる温水を制御することで、前記ゾーン分けしたエリア内の温水パイプ１０内を流れる温水をＯＮ、ＯＦＦ制御する。  こうすることで、温水マット６の暖房エリアを選択できるため、使い勝手が良く、省エネ化が図れる。【選択図】図１
2010032086.tif 000002
【特許請求の範囲】
【請求項１】
ａ．熱源機で発生した温水を暖房対象室内に敷設した温水マット内に循環させて床暖房
を行う床暖房システムにおいて、
ｂ．前記熱源機側には、２本の温水往きパイプが接続される自動制御弁付の給湯口と、
１本の温水還りパイプが接続される還り口を形成して成る熱源機下ヘッダーを設けたこ
と、
ｃ．前記温水マットには、複数の暖房ゾーンを設けると共にこの暖房ゾーンにはそれぞ
れ独立した回路の温水パイプが配管されていること、
ｄ．前記温水マットには 、前記２本の温水往きパイプが接続される２個の温水入口と
前記還りパイプが接続される１個の温水還り口が形成されていると共に前記温水入口か  ら流入した温水を前記温水パイプが接続された複数の温水往きソケット側に分岐して分  配する２本の温水分配流路と、前記温水パイプの還り側が接続された複数の前記温水還  りソケットから流入した温水を１本に合流させて前記温水還り口に還す１本の温水集合  流路が形成された温水ヘッダーが取り付けられていること、
ｅ．前記温水マットが敷設された部屋側には、前記熱源機下ヘッダーの自動制御弁を制
御して温水マット側の各ゾーン内に配管された温水パイプ内を循環する温水を制御する
ことにより一枚の温水マットにおいて暖房エリアを選択することができる制御器が設け  られていること、
f. を特徴とする温水式床暖房システム。
【請求項２】
前記熱源機下ヘッダーには１個の温水往き口と２個の温水還り口を形成すると共に前記温水還り口にそれぞれ自動制御弁を取り付け、前記温水ヘッダーには１本の温水分配流路と２本の温水集合流路が形成されていること、を特徴とする請求項１に記載の温水式床暖房システム。
【発明の詳細な説明】
【技術分野】
【０００１】
本発明は、熱源機で発生した温水を暖房対象室内に敷設した温水マット内に循環させて床暖房を行うシステムに関し、更に詳しくは、一枚の温水マットにおいて、暖房エリアを任意にゾーン分けして使い勝手が良く、省エネ化を図ることが出来ると共に複数枚の温水マットを施工して暖房エリア分けをする場合に比較して施工費を大幅に低減し、水漏れ等のトラブルの発生を半減できる温水式床暖房システムに関する、
【背景技術】
【０００２】
従来の温水式床暖房システムの場合、特許文献１に示すように、対象となる部屋ごとに一枚の温水マットが敷設されていて、常時温水マット全体に温水が循環していることから、部屋の一部のエリアだけを暖房するということは不可能である。
【特許文献１】特開２００４−１４４３４０号
【０００３】
勿論、２枚以上のマットを敷設して使い分けすることにより一部のエリアだけを暖房することは可能であるが、このように２枚以上のマットを敷設すると、施工費が高騰し、又熱源機とそれぞれのマット間に温水循環パイプを接続することになるため、水漏れ等のトラブルの発生率もその分拡大するという問題がある。
【０００４】
また、省エネの観点から一つの部屋であっても、日の当る窓際、あるいはベッド等の家具等が置かれていて人が入ることのないエリア等については、必要に応じて暖房を止めることが望ましい。
【発明の開示】
【発明が解決しようとする課題】
【０００５】
本発明は斯る点に鑑みて提供されるものであって、一枚の温水マット内に暖房エリアを任意に選択して快適、且つ省エネ暖房を可能にすると共に水漏れ等のトラブルを半減できる温水式床暖房システムを提供することを目的とする。
【０００６】
上記目的は、次の手段により容易に解決することができる。
先ず、請求項１に記載した発明では、熱源機で発生した温水を暖房対象室内に敷設した
温水マット内に循環させて床暖房を行う床暖房システムにおいて、
前記熱源機側には、２本の温水往きパイプが接続される自動制御弁付の給湯口と、１本
の温水還りパイプが接続される還り口を形成して成る熱源機下ヘッダーを設けたこと、
前記温水マットには、複数の暖房ゾーンを設けると共にこの暖房ゾーンにはそれぞれ独
立した回路の温水パイプが配管されていること、
前記温水マットには 、前記２本の温水往きパイプが接続される２個の温水入口と前記
還りパイプが接続される１個の温水還り口が形成されていると共に前記温水入口から流
入した温水を前記温水パイプが接続された複数の温水往きソケット側に分岐して分配す
る２本の温水分配流路と、前記温水パイプの還り側が接続された複数の前記温水還りソ
ケットから流入した温水を１本に合流させて前記温水還り口に還す１本の温水集合流路
が形成された温水ヘッダーが取り付けられていること、
前記温水マットが敷設された部屋側には、前記熱源機下ヘッダーの自動制御弁を制御し
て温水マット側の各ゾーン内に配管された温水パイプ内を循環する温水を制御すること
により一枚の温水マットにおいて暖房エリアを選択することができる制御器が設けられ  ていること、
を特徴とするものである。
【０００７】
この発明によると、一枚の温水マットにおいて床暖房するためのエリアが分けられて
いるため、不要なエリアを止めて省エネを図ることができると共に、エリア分けのため
に２枚以上のマットを敷設する場合に比較して施工費の大幅低減が可能であると共に水
漏れ等のトラブルを半減することができる。
【０００８】
次に、請求項２に記載した発明では、請求項１に記載した発明において、前記熱源機下ヘッダーには１個の温水往き口と２個の温水還り口を形成すると共に前記温水還り口にそれぞれ自動制御弁を取り付け、前記温水ヘッダーには１本の温水分配流路と２本の温水集合流路が形成されていること、を特徴とするものである。
【０００９】
この発明によると、請求項１とは反対に、温水の往きパイプが１本で、還りパイプが
２本で構成されているため、施工条件によってはこのタイプを選択することができる。
【発明の効果】
【００１０】
本発明は以上のとおり、一枚の温水マットを敷設した部屋において、床暖房エリアを  選択することができるため、使い勝手が良く、省エネ運転が可能になると共に水漏れ等  の発生率の低減と施工費の大幅な削減が可能になる。
【発明を実施するための最良の形態】
【００１１】
本発明は、一般家庭の温水式床暖房システムに適用可能であるが、各種施設の集会所、体育館のような大型の施設における床暖房にも適用が可能である。
熱源機（ボイラー）は、ガス、灯油式の瞬間式あるいは貯湯式等であって、内部に温水を強制的に循環するための循環ポンプを保有していて、温水マット側には、この循環ポンプにより温水を循環させることができるタイプである。
【００１２】
温水マットは、通常のマット構造を有しているが、従来のマットとの相違点は、一枚のマットは複数の暖房ゾーンに分けてあり、それぞれのゾーン毎に別々に温水パイプが配管されていて、温水ヘッダーから供給される温水は、このゾーン毎に分かれて循環するため、このゾーン内に循環する温水を止めることにより、そのゾーンだけは暖房を中止することができる。
【００１３】
このゾーン分けのために行う暖房運転の制御は、熱源機側に取り付けた熱源機下ヘッダーの自動制御弁を室内側のコントローラの操作により行う。
熱源機下ヘッダーと温水マット側の温水ヘッダー間は３本のパイプが抱き合わせにされて鞘管等に一緒に挿入されていることにより、外観は１本となっていて、それぞれのパイプには断熱被覆が施こされている。そして、このパイプのうちの２本が温水の往きで、１本が温水の還りとなっている。又は反対に２本が温水の還りで、１本が温水の往きとなっている。温水マット側の温水ヘッダーは、２本の分配流路を平面視で左右に形成し、この中央に１本の集合流路を形成し、双方に同数のソケットが形成されていて、このソケット間に温水マットの温水パイプが接続されている。
【実施例１】
【００１４】
上記した本発明の実施例を図１〜図６に基づいて詳細に説明する。図１は、本発明に係る床暖房システムの全体図、図２は６回路図から成る温水マットの説明図、図３は熱源機下ヘッダーと温水マット側の温水ヘッダーの接続状態の説明図、図４は６回路用温水ヘッダーの説明図、図５はＡ―Ａ´線断面図、図６は８回路用温水ヘッダーの説明図である。
【００１５】
各図において、符号の１は熱源機であって、この熱源機１には２個の自動制御弁３ａ、４ａ付の給湯ソケット３、４を設けた熱源機下ヘッダー２が取り付けられている。また、前記ヘッダー２とは別に熱源機下還りヘッダー５が取り付けられていて、ヘッダー２から温水マット側に供給された温水は、マット内を一巡して還りヘッダー５から熱源機１内に入り、加熱されて再びヘッダー２からマット側に送り出される。この送り出される温水の温度は、本実施例では６０℃に設定されている。
【００１６】
６は温水マットであって、この温水マット６は中央で左暖房ゾーン７と右暖房ゾーン８に分けられていて、中央に設けた温水ヘッダー９で分配された温水は、左暖房ゾーン７と右暖房ゾーン８内の温水パイプ１０をそれぞれ一巡して温水ヘッダー９に還る。
【００１７】
１１は熱源機１と温水マット６間を結ぶ循環パイプであって、この循環パイプ１１は、温水往きパイプ１２、１３と、還りパイプ１４の３本構成であって、前記ヘッダー２の給湯ソケット３、４と温水ヘッダー９間に配管されている。
【００１８】
温水ヘッダー９は、図４、図５に示すように、２つの入りソケット１５、１６と１つの還りソケット１７と、前記入りソケット１６、１７に連通している温水分配流路１８、１９と、前記還りソケット１７に連通している温水集合流路２０と、前記温水分配流路１８、１９にそれぞれ連通している３個ずつの分岐往きソケット２２と、温水集合流路１８に連通している６個の還りソケット２３から成り、温水マット６内に配管されている温水パイプ１０は、左暖房ゾーン７に３回路、右暖房ゾーン８に３回路が接続されている。
【００１９】
図６の温水ヘッダー１０ａは、８回路構成の温水マット６に温水を分配する形態のもので、この形態の温水ヘッダー１０ａは、左暖房ゾーン７と右暖房ゾーン８に４回路ずつに配管された温水パイプ１０に温水を分配するとき用いられる。
【００２０】
なお、上記実施例の熱源機下ヘッダー２と温水ヘッダー１０は、２本が給湯の往きで１本が還りとなっているが、この反対であっても良い。本実施例の循環パイプ１１には、往き７Ａ、還り１０Ａの口径のものが用いられている。
【００２１】
２４はコントローラであって、このコントローラ２４を操作して、前記ヘッダー２の自動制御弁３ａ、４ａをＯＮ、ＯＦＦ制御することにより、左暖房ゾーン７又は右暖房ゾーン８内を循環する温水を制御して、温水マット６において左側エリアだけ、あるいは右側エリアだけ、あるいは双方のエリアを選択的に暖房することが可能である。なお、信号線２５は、循環往きパイプ１２、１３にそれぞれ抱き込ませてある。
【図面の簡単な説明】
【００２２】
【図１】本暖房システムの全体を示す説明図
【図２】温水マットの説明図
【図３】熱源機下ヘッダーと温水ヘッダーの説明図
【図４】６回路用温水ヘッダーの説明図
【図５】Ａ―Ａ´線断面図
【図６】８回路用温水ヘッダーの説明図
【符号の説明】
【００２３】
１            熱源機
２            熱源機下ヘッダー
３・４        給湯ソケット
３ａ、４ａ    自動制御弁
５            還りヘッダー
６            温水マット
９            温水ヘッダー
１０          温水パイプ
２４          コントローラ
【図１】
2010032086.tif 000003
【図２】
2010032086.tif 000004
【図３】
2010032086.tif 000005
【図４】
2010032086.tif 000006
【図５】
2010032086.tif 000007
【図６】
2010032086.tif 000008